(57)【要約】【課題】接続される外部機器に対応した駆動を行うことで、消費電力の低減を含めた性能や品質の向上、また利便性の向上が図れる電子機器、および電子機器の駆動方法を提供する。【解決手段】電子機器としてのプロジェクター１は、挿脱により外形の異なるメディアプレーヤー１００が一体的に接続されるコネクター１０と、接続されたメディアプレーヤー１００の外形を検出する第１、第２センサー１１，１２と、第１、第２センサー１１，１２の検出結果に基づき、外形の異なるメディアプレーヤー１００に対応させた動作を行わせる動作制御部と、を備えている。また、メディアプレーヤー１００がコネクター１０に接続されたことを検出する接続検出部と、メディアプレーヤー１００の外形の違いを判別する形状判別部と、を備える。また、動作制御部は、接続されたメディアプレーヤー１００に対応させた電力を供給する制御を行う。【選択図】図１
2014027507.tif 000002
【特許請求の範囲】
【請求項１】
電子機器であって、
挿脱により外形の異なる外部機器が一体的に接続されるコネクト部と、
接続された前記外部機器の前記外形を検出するセンサー部と、
前記センサー部の検出結果に基づき、前記外形の異なる前記外部機器に対応させた動作を行わせる動作制御部と、
を備えていることを特徴とする電子機器。
【請求項２】
請求項１に記載の電子機器であって、
前記外部機器が前記コネクト部に接続されたことを検出する接続検出部と、
前記外部機器の前記外形の違いを判別する形状判別部と、を備えることを特徴とする電子機器。
【請求項３】
請求項１または請求項２に記載の電子機器であって、
前記動作制御部は、接続された前記外部機器に対応させた電力を供給する制御を行うことを特徴とする電子機器。
【請求項４】
請求項１〜請求項３のいずれか一項に記載の電子機器であって、
前記動作制御部は、接続された前記外部機器からの音声入力レベルに対応して所定の音声出力レベルとなるように調整する制御を行うことを特徴とする電子機器。
【請求項５】
請求項１〜請求項４のいずれか一項に記載の電子機器であって、
前記動作制御部は、接続された前記外部機器からの映像入力レベルに対応して所定の映像出力レベルとなるように調整する制御を行うことを特徴とする電子機器。
【請求項６】
請求項１〜請求項５のいずれか一項に記載の電子機器であって、
前記センサー部は、前記外形の違いに対応させて複数設置されていることを特徴とする電子機器。
【請求項７】
請求項１〜請求項６のいずれか一項に記載の電子機器であって、
前記センサー部は、光センサーを備えていることを特徴とする電子機器。
【請求項８】
請求項１〜請求項７のいずれか一項に記載の電子機器は、
光を射出する光源装置と、
前記光源装置から射出された前記光を映像信号に基づいて変調する光変調装置と、
変調された前記光を投写する投写レンズと、
を備えるプロジェクターであることを特徴とする電子機器。
【請求項９】
電子機器の駆動方法であって、
挿脱により外形の異なる外部機器が一体的に接続されるコネクト部と、
接続された前記外部機器の前記外形を検出するセンサー部と、
前記電子機器本体の動作を制御する動作制御部と、を備え、
前記動作制御部は、前記センサー部の検出結果に基づいて、前記外形の異なる前記外部機器に対応させた動作を行わせることを特徴とする電子機器の駆動方法。
【請求項１０】
請求項９に記載の電子機器の駆動方法であって、
前記動作制御部は、
前記外部機器が前記コネクト部に接続されたことを検出する接続検出工程と、
前記センサー部の検出結果に基づいて、前記外部機器の前記外形の違いを判別する形状判別工程と、
を備えることを特徴とする電子機器の駆動方法。
【請求項１１】
請求項９または請求項１０に記載の電子機器の駆動方法であって、
接続された前記外部機器に対応させた電力を供給する電力供給工程を備えていることを特徴とする電子機器の駆動方法。
【請求項１２】
請求項９〜請求項１１のいずれか一項に記載の電子機器の駆動方法であって、
接続された前記外部機器からの音声入力レベルに対応して所定の音声出力レベルとなるように調整する音声レベル調整工程を備えていることを特徴とする電子機器の駆動方法。
【請求項１３】
請求項９〜請求項１２のいずれか一項に記載の電子機器の駆動方法であって、
接続された前記外部機器からの映像入力レベルに対応して所定の映像出力レベルとなるように調整する映像レベル調整工程を備えている特徴とする電子機器の駆動方法。
【請求項１４】
請求項９〜請求項１３のいずれか一項に記載の電子機器の駆動方法であって、
前記センサー部は、前記外形の違いに対応させて複数設置されていることを特徴とする電子機器の駆動方法。
【請求項１５】
請求項９〜請求項１４のいずれか一項に記載の電子機器の駆動方法であって、
前記センサー部は、光センサーを備えていることを特徴とする電子機器の駆動方法。
【発明の詳細な説明】
【技術分野】
【０００１】
本発明は、電子機器および電子機器の駆動方法に関する。
【背景技術】
【０００２】
近年、携帯型のメディアプレーヤーをスピーカー装置等に接続し、メディアプレーヤー内部に格納されている音声データを、増幅した音声として出力させて使用すること等が行われている。
【０００３】
特許文献１では、携帯型のメディアプレーヤーをプロジェクターに構成される接続部に接続し、メディアプレーヤー内部に格納されている映像データをプロジェクターからスクリーン等に映像として拡大投写させ、また、メディアプレーヤー内部に格納されている音声データをプロジェクターに付属するスピーカーから音声として出力させること等が開示されている。
【０００４】
また、従来、電子機器において、共通のコネクターに複数の外部機器（例えば、メディアプレーヤー）が接続可能な場合、どのメディアプレーヤーが接続されても正常に駆動可能なように、共通の仕様となる設計を行っている。例えば、接続されるメディアプレーヤーごとに供給電力が異なる場合には、最大の供給電力が必要となるメディアプレーヤーに対応させる仕様とし、他のメディアプレーヤーを接続した場合にも、同様の電力が供給される。
【０００５】
また、接続された外部機器内部に格納されている音声データを、電子機器に付属する例えばスピーカーから音声として出力させる場合、接続される外部機器からの、音声入力レベルが異なっていても、一定の増幅を行い、スピーカーから出力している。また、接続された外部機器内部に格納されている映像データを、電子機器に付属する例えば投写レンズから映像として出力させる場合、接続される外部機器からの、映像入力レベルが異なっていても、一定の調整を行い、投写レンズから投写している。
【先行技術文献】
【特許文献】
【０００６】
【特許文献１】米国特許第７５９９１７７号明細書
【発明の概要】
【発明が解決しようとする課題】
【０００７】
しかし、接続される外部機器ごとに供給電力が異なる場合、最大の供給電力が必要となる外部機器に合わせて、他の外部機器にも同様に供給することは、消費電力が増加するという課題がある。そして、供給電力を増加させることにより、例えば、電源部が発熱し、発熱した電源部に対して冷却用のファンを駆動させることが必要となる場合がある。この場合、更に消費電力を増加させることとなり、騒音の発生等、電子機器としての性能や品質の面で課題がある。
【０００８】
また、接続される外部機器ごとに音声入力レベルが異なっており、一定の増幅を行うことは、外部機器ごとに、音声出力レベルが異なってしまうという課題がある。そして、音声出力レベルが異なることにより、スピーカーから出力される音量が外部機器ごとに異なってしまうため、常に音量調整を行うことが必要となり、利便性の面で課題がある。また、接続される外部機器ごとに映像入力レベルが異なっており、一定の調整を行うことは、外部機器ごとに、映像出力レベルが異なってしまうという課題がある。そして、映像出力レベルが異なることにより、例えば、投写レンズから出力される映像の画質（明るさ、コントラスト等）が外部機器ごとに異なってしまうため、画質調整を行うことが必要となり、利便性の面で課題がある。
従って、接続される外部機器に対応した駆動を行うことで、消費電力の低減を含めた性能や品質の向上、また利便性の向上が図れる電子機器、および電子機器の駆動方法が要望されていた。
【課題を解決するための手段】
【０００９】
本発明は、上述した課題の少なくとも一部を解決するためになされたものであり、以下の適用例として実現することが可能である。
【００１０】
［適用例１］本適用例に係る電子機器は、挿脱により外形の異なる外部機器が一体的に接続されるコネクト部と、接続された外部機器の外形を検出するセンサー部と、センサー部の検出結果に基づき、外形の異なる外部機器に対応させた動作を行わせる動作制御部と、を備えていることを特徴とする。
【００１１】
このような電子機器によれば、コネクト部に一体的に接続される外部機器に対し、センサー部が外部機器の外形を検出する。これにより、接続される外部機器を、外形の違いで判別することが可能となる。また、動作制御部が、判別された外部機器に対応させた動作を行わせることにより、例えば、消費電力の低減を含めた性能や品質の向上、また利便性の向上を図ることができる。
【００１２】
［適用例２］上記適用例に係る電子機器において、外部機器がコネクト部に接続されたことを検出する接続検出部と、外部機器の外形の違いを判別する形状判別部と、を備えることが好ましい。
【００１３】
このような電子機器によれば、接続検出部で、外部機器がコネクト部に接続されたことを検出することにより、外部機器が確実に接続されたことを判断することができる。また、形状判別部で、接続された外部機器の外形の違いを判別することにより、接続された外部機器を判別することができる。これにより、動作制御部は、接続された外部機器を特定することで、特定された外部機器に対応させた動作を行わせることができる。
【００１４】
［適用例３］上記適用例に係る電子機器において、動作制御部は、接続された外部機器に対応させた電力を供給する制御を行うことが好ましい。
【００１５】
このような電子機器によれば、動作制御部が、接続された外部機器に対応させた電力を供給する制御を行うことにより、消費電力の低減を図ることができる。
【００１６】
［適用例４］上記適用例に係る電子機器において、動作制御部は、接続された外部機器からの音声入力レベルに対応して所定の音声出力レベルとなるように調整する制御を行うことが好ましい。
【００１７】
このような電子機器によれば、動作制御部が、接続された外部機器からの音声入力レベルに対応して所定の音声出力レベルとなるように調整する制御を行うことにより、音声入力レベルが、外部機器ごとに異なる場合にも、略一定の音声出力レベルとなるように調整することができる。これにより、電子機器に備わる例えばスピーカーから出力される音量を、外部機器が異なっても略一定とすることができる。
【００１８】
［適用例５］上記適用例に係る電子機器において、動作制御部は、接続された外部機器からの映像入力レベルに対応して所定の映像出力レベルとなるように調整する制御を行うことが好ましい。
【００１９】
このような電子機器によれば、動作制御部が、接続された外部機器からの映像入力レベルに対応して所定の映像出力レベルとなるように調整する制御を行うことにより、映像入力レベルが、外部機器ごとに異なる場合にも、略一定の映像出力レベルとなるように調整することができる。これにより、電子機器に備わる例えば表示パネルに表示される映像や、投写レンズから投写された映像を、外部機器が異なっても略一定の画質とすることができる。
【００２０】
［適用例６］上記適用例に係る電子機器において、センサー部は、外形の違いに対応させて複数設置されていることが好ましい。
【００２１】
このような電子機器によれば、センサー部が、外形の違いに対応させて複数設置されることにより、多種類の外形違いの外部機器を判別することができる。これにより、利便性が更に向上する。
【００２２】
［適用例７］上記適用例に係る電子機器において、センサー部は、光センサーを備えていることが好ましい。
【００２３】
このような電子機器によれば、センサー部が光センサーを備えることにより、センサー部を容易に構成することができる。
【００２４】
［適用例８］上記適用例に係る電子機器は、光を射出する光源装置と、光源装置から射出された光を映像信号に基づいて変調する光変調素子と、変調された光を投写する投写レンズと、を備えるプロジェクターであることが好ましい。
【００２５】
このような電子機器によれば、プロジェクターに外部機器が接続された場合にも適用でき、接続された外部機器に対応した駆動を行わせることができる。
【００２６】
［適用例９］本適用例に係る電子機器の駆動方法は、挿脱により外形の異なる外部機器が一体的に接続されるコネクト部と、接続された外部機器の外形を検出するセンサー部と、電子機器本体の動作を制御する動作制御部と、を備え、動作制御部は、センサー部の検出結果に基づいて、外形の異なる外部機器に対応させた動作を行わせることを特徴とする。
【００２７】
このような電子機器の駆動方法によれば、コネクト部に一体的に接続される外部機器に対し、センサー部が外部機器の外形を検出する。これにより、接続される外部機器を、外形の違いで判別することが可能となる。また、動作制御部が、判別された外部機器に対応させた動作を行わせることにより、例えば、消費電力の低減を含めた性能や品質の向上、また利便性の向上を図ることができる。
【００２８】
［適用例１０］上記適用例に係る電子機器の駆動方法において、動作制御部は、外部機器がコネクト部に接続されたことを検出する接続検出工程と、センサー部の検出結果に基づいて、外部機器の外形の違いを判別する形状判別工程と、を備えることが好ましい。
【００２９】
このような電子機器の駆動方法によれば、接続検出工程で、外部機器がコネクト部に接続されたことを検出することにより、外部機器が確実に接続されたことを判断することができる。また、形状判別工程で、センサー部の検出結果に基づいて、接続された外部機器の外形の違いを判別することにより、接続された外部機器を判別することができる。これにより、動作制御部は、接続された外部機器を特定することで、特定された外部機器に対応させた動作を行わせることができる。
【００３０】
［適用例１１］上記適用例に係る電子機器の駆動方法において、接続された外部機器に対応させた電力を供給する電力供給工程を備えていることが好ましい。
【００３１】
このような電子機器の駆動方法によれば、電力供給工程を備え、接続された外部機器に対応させた電力を供給することにより、消費電力の低減を図ることができる。
【００３２】
［適用例１２］上記適用例に係る電子機器の駆動方法において、接続された外部機器からの音声入力レベルに対応して所定の音声出力レベルとなるように調整する音声レベル調整工程を備えていることが好ましい。
【００３３】
このような電子機器の駆動方法によれば、音声レベル調整工程を備え、接続された外部機器からの音声入力レベルに対応して所定の音声出力レベルとなるように調整することにより、音声入力レベルが、外部機器ごとに異なる場合にも、略一定の音声出力レベルとなるように調整することができる。これにより、電子機器に備わる例えばスピーカーから出力される音量を、外部機器が異なっても略一定とすることができる。
【００３４】
［適用例１３］上記適用例に係る電子機器の駆動方法において、接続された外部機器からの映像入力レベルに対応して所定の映像出力レベルとなるように調整する映像レベル調整工程を備えていることが好ましい。
【００３５】
このような電子機器の駆動方法によれば、映像レベル調整工程を備え、接続された外部機器からの映像入力レベルに対応して所定の映像出力レベルとなるように調整することにより、映像入力レベルが、外部機器ごとに異なる場合にも、略一定の映像出力レベルとなるように調整することができる。これにより、電子機器に備わる例えば表示パネルに表示される映像や、投写レンズから投写された映像を、外部機器が異なっても略一定の画質とすることができる。
【００３６】
［適用例１４］上記適用例に係る電子機器の駆動方法において、センサー部は、外形の違いに対応させて複数設置されていることが好ましい。
【００３７】
このような電子機器の駆動方法によれば、センサー部が、外形の違いに対応させて複数設置されることにより、多種類の外部機器の外形を検出することができる。
【００３８】
［適用例１５］上記適用例に係る電子機器の駆動方法において、センサー部は、光センサーを備えていることが好ましい。
【００３９】
このような電子機器の駆動方法によれば、センサー部が光センサーを備えることにより、接続された外部機器の外形を容易に検出することができる。
【図面の簡単な説明】
【００４０】
【図１】実施形態に係るプロジェクターの概回路ブロック図。
【図２】プロジェクターにメディアプレーヤーを接続した状態を示す概斜視図。
【図３】プロジェクターにメディアプレーヤーを接続した状態を示す概側面図。
【図４】プロジェクターの駆動方法を説明するフローチャート。
【発明を実施するための形態】
【００４１】
以下、実施形態を図面に基づいて説明する。
（実施形態）
【００４２】
図１は、実施形態に係るプロジェクター１の回路ブロック図である。図１を参照して、プロジェクター１の構成と各構成部の動作を説明する。
【００４３】
本実施形態のプロジェクター１は、詳細は後述するが、外部機器としてのメディアプレーヤー１００が接続された場合、メディアプレーヤー１００に格納される映像データや音声データを入力し、投写レンズ１９３を介して映像を投写させ、またスピーカー１８１（図２参照）を介して音声を出力させることができる。
【００４４】
プロジェクター１は、大略、コネクト部としてのコネクター１０、センサー部としての第１センサー１１および第２センサー１２、電源ユニット１３、電源供給回路１４、マイコン（Microcomputer）１５、音声処理回路１６、映像処理回路１７、音声出力部１８、映像出力部１９等を備えて構成されている。また、映像出力部１９は、光源装置１９１、液晶ライトバルブ１９２、投写レンズ１９３等を有して構成されている。
【００４５】
コネクト部としてのコネクター１０は、後述するドック部３（図２参照）に設置される。また、コネクター１０は、挿脱により外形の異なる外部機器としての携帯型のメディアプレーヤー１００が一体的に接続される。
【００４６】
マイコン１５は、演算装置とその動作を規定する制御プログラム等で構成される。そして、マイコン１５は、本実施形態では動作制御部として機能すると共に、プロジェクター１の動作全体を統括制御する。
【００４７】
本実施形態では、動作制御部としてのマイコン１５は、メディアプレーヤー１００が接続されたことを検出する接続検出部として動作する。また、マイコン１５は、電源ユニット１３に対して状態切替え制御を行うと共に、メディアプレーヤー１００用の電源供給回路１４の駆動を制御する。また、マイコン１５は、第１センサー１１、第２センサー１２からの入力信号を受けて、メディアプレーヤー１００の外形の違いを判別する形状判別部として動作する。
【００４８】
第１センサー１１、第２センサー１２は、いずれも光センサーで構成されている。詳細には、第１センサー１１、第２センサー１２は、光センサーとして受発光素子を用いている。
【００４９】
電源ユニット１３は、電源ケーブル（図示省略）を介して外部から供給された商用電源を、所定の電圧の直流電源に変換してプロジェクター１の各構成部に電力を供給する。電源ユニット１３は、商用電源が供給された場合、マイコン１５や入力操作部（図示省略）等に電力の供給を行う。マイコン１５は、この電力供給を受けて、制御プログラムに従った動作を開始する。
【００５０】
なお、電源ユニット１３は、後述する第１メディアプレーヤー１０１に適した供給電力を供給できる状態としての第１状態と、後述する第２メディアプレーヤー１０２に適した供給電力を供給できる状態としての第２状態と、後述する第３メディアプレーヤー１０３に適した供給電力を供給できる状態としての第３状態との３つの状態に切替えることができる。
【００５１】
電源供給回路１４は、本実施形態では、接続されたメディアプレーヤー１００に電力を供給する回路である。電源供給回路１４は、マイコン１５の指示に基づき、電源ユニット１３から供給される電力を、接続されたメディアプレーヤー１００に供給する。
【００５２】
音声処理回路１６は、マイコン１５の指示に基づき、接続されたメディアプレーヤー１００から入力した音声データの音声入力レベルに対応させた所定の調整（増幅）を行い、調整された音声出力レベルで音声データを音声出力部１８に出力する。
【００５３】
音声出力部１８は、スピーカー１８１（図２参照）等で構成されており、音声処理回路１６から出力された音声出力レベルに応じて音声データを音声として出力する。
【００５４】
映像処理回路１７は、メディアプレーヤー１００から入力される映像データを受け取り、マイコン１５の指示に基づき、接続されたメディアプレーヤー１００から入力した映像データの映像入力レベルに対応させた所定の調整を行い、調整された映像出力レベルの出力映像データとして生成し、映像出力部１９（液晶ライトバルブ１９２）に出力する。詳細には、映像処理回路１７は、入力した映像データの映像入力レベルに対応して、明るさ、コントラスト、シャープネス、色合い等の画質を調整し、調整された映像出力レベルで出力映像データを生成する。
【００５５】
映像出力部１９は、光源装置１９１、液晶ライトバルブ駆動部（図示省略）、液晶ライトバルブ１９２、投写レンズ１９３等を備えている。光源装置１９１は、スクリーン（図示省略）等に映像を投写するための光の供給部であり、液晶ライトバルブ１９２に向けて光を射出する。光源装置１９１は、本実施形態では、放電式ランプを用いている。なお、光源装置１９１は、放電式ランプの他、レーザーダイオード、ＬＥＤ（Light Emitting Diode）、有機ＥＬ（Electro Luminescence）素子、シリコン発光素子等の各種固体発光素子等を用いて構成することができる。
【００５６】
液晶ライトバルブ駆動部は、映像処理回路１７が出力する映像信号に基づき、液晶ライトバルブ１９２を駆動する。液晶ライトバルブ１９２は、複数の画素（図示省略）がマトリクス状に形成されている。液晶ライトバルブ１９２は、光変調装置として構成され、液晶ライトバルブ駆動部により各画素の透過率が調整されることで、光源装置１９１から射出された光を変調し、投写レンズ１９３に向けて射出する。なお、液晶ライトバルブ１９２は、本実施形態では、透過型の液晶パネルを採用している。しかし、これに限られず、反射型の液晶パネルを採用してもよい。
【００５７】
液晶ライトバルブ１９２から射出された変調された光は、投写レンズ１９３によってスクリーン上に拡大投写される。投写レンズ１９３には、投写光の焦点を変更可能なフォーカス機構（図示省略）と、投写光の拡大率を変更可能なズーム機構（図示省略）とを備えている。
【００５８】
図２は、プロジェクター１にメディアプレーヤー１００を接続した状態を示す概斜視図である。図３は、プロジェクター１にメディアプレーヤー１００を接続した状態を示す概側面図である。なお、図２、図３は、コネクター１０に接続するメディアプレーヤー１００（第１メディアプレーヤー１０１、第２メディアプレーヤー１０２、第３メディアプレーヤー１０３）をそれぞれ図示している。図２、図３を参照して、プロジェクター１の外観の構成を説明する。
【００５９】
本実施形態のプロジェクター１は、本体部２とドック部３とで構成される。ドック部３は、本体部２に対して前方に突出して設置される。また、ドック部３は、外部機器としての携帯型のメディアプレーヤー１００が接続され、メディアプレーヤー１００に格納される映像データや音声データを本体部２に入力させる部分である。本体部２は、ドック部３から入力された映像データや音声データに基づき、映像を投写レンズ１９３から投写させ、音声をスピーカー１８１から出力させる部分である。
【００６０】
プロジェクター１の本体部２は、略６面体の箱型形状に形成される本体側筐体２０で囲まれた構成となっている。なお、本体側筐体２０の６面に対し、ドック部３が設置される側を前面２０ａとし、前面に対向する側を背面２０ｂ、前面２０ａに対峙した場合の右側を右面２０ｃ、左側を左面２０ｄ、上側を上面２０ｅ、下側を底面２０ｆとする。本体側筐体２０は、上側を構成する上ケース２１ａと、下側を構成する下ケース２１ｂとで構成されている。
【００６１】
本体側筐体２０内部には、マイコン１５等の回路素子が実装された回路ユニット（図示省略）や、電源ユニット１３および電源供給回路１４等を搭載した電源部（図示省略）が設置されている。また、本体側筐体２０内部には、映像出力部１９や、音声出力部１８や、発熱する電源部および映像出力部１９等を冷却するための冷却用ファン等が設置されている。
【００６２】
ドック部３は、本体側筐体２０の前面２０ａの中央下部に突出して設置され、ドック側筐体３０で囲まれた構成となっている。ドック側筐体３０内部には、メディアプレーヤー１００を接続するコネクター１０が実装された回路ユニット（図示省略）が設置されている。
【００６３】
本実施形態のコネクター１０には、外形の異なる３つのメディアプレーヤー１００が挿脱可能に接続される。メディアプレーヤー１００は、３つとも矩形状で板状の外形を有して構成されている。詳細には、メディアプレーヤー１００は、３つの中で外形が最も小さい第１メディアプレーヤー１０１（実線で示す）と、外形が最も大きい第３メディアプレーヤー１０３（二点鎖線で示す）と、外形が中間の大きさとなる第２メディアプレーヤー１０２（二点鎖線で示す）との３つとなる。なお、メディアプレーヤー１００をコネクター１０に接続した場合、メディアプレーヤー１００は、図３に示すように、本体側筐体２０の前面２０ａ側に傾斜した状態となる。
【００６４】
第１センサー１１および第２センサー１２として用いる受発光素子は、リードフレームタイプで図示省略する回路基板に実装され、本体側筐体２０の前面２０ａに開けた開口部（図示省略）から前方に向け、受発光部が露出するように設置されている。第１センサー１１と第２センサー１２は、前面２０ａの上下方向の略中間で、左面２０ｄ方向で左右に並んで設置される。
【００６５】
第１センサー１１は、第２メディアプレーヤー１０２を検出するために設置されている。第１センサー１１は、第１メディアプレーヤー１０１の外形外で、第２メディアプレーヤー１０２の外形内に位置するように設置されている。
【００６６】
第２センサー１２は、第３メディアプレーヤー１０３を検出するために設置されている。第２センサー１２は、第２メディアプレーヤー１０２の外形外で、第３メディアプレーヤー１０３の外形内に位置するように設置されている。
【００６７】
スピーカー１８１は、前面２０ａの左右方向で、第３メディアプレーヤー１０３の外形外となる位置に設置され、音声を前方向に出力する。また、投写レンズ１９３は、背面２０ｂの略中央に先端部が突出して設置され、映像を背面方向に投写する。
【００６８】
図４は、プロジェクター１の駆動方法を説明するフローチャートである。図４を参照してメディアプレーヤー１００が接続された場合のフローを説明する。なお、本実施形態では、プロジェクター１にコネクター１０を介して接続されるメディアプレーヤー１００は、前述したように、３つである。
【００６９】
第１メディアプレーヤー１０１は、外形が最も小さく、必要な供給電力は約１Ａ（アンペアー）程度である。第２メディアプレーヤー１０２は、第１、第３メディアプレーヤー１０１，１０３の中間の外形を有し、必要な供給電力は約１．５Ａ程度である。第３メディアプレーヤー１０３は、外形が最も大きく、必要な供給電力は約２．０Ａ程度である。
【００７０】
最初に、ステップＳ２００において動作制御部（マイコン１５）は、接続検出部として動作し、コネクター１０にメディアプレーヤー１００が接続されたか否かを検出する。コネクター１０からの信号が検出されることにより、メディアプレーヤー１００が接続されたと判断する。なお、コネクター１０からの信号が検出されない場合は、検出を終了させる。メディアプレーヤー１００が接続されたことが検出された場合、ステップＳ２０１に移行する。
【００７１】
ステップＳ２０１において動作制御部は、メディアプレーヤー１００の外形の違いを判別する形状判別部として動作する。詳細には、動作制御部は、第２センサー１２からの入力信号が検出されたか否かを判断する。具体的には、第２センサー１２が発光させた光を第２センサー１２が受光できたか否かを判断する。
【００７２】
ステップＳ２０１で入力信号が検出された場合には、ステップＳ２０３に移行し、動作制御部は、第３メディアプレーヤー１０３が接続されたと判断する。ステップＳ２０１で入力信号が検出されない場合には、ステップＳ２０２に移行する。なお、第２センサー１２は、前述したように、第３メディアプレーヤー１０３を検出するために設置されている。このように、動作制御部は、第２センサー１２の検出結果に基づいて、第３メディアプレーヤー１０３が接続されたか否かを判断する。
【００７３】
ステップＳ２０３で第３メディアプレーヤー１０３が接続されたと判断された場合、ステップＳ２０６に移行する。ステップＳ２０６では、電源部に対して第３メディアプレーヤー１０３に対応させた供給電源の調整値に設定させる動作を行う。詳細には、動作制御部は、電源ユニット１３に対し、第３状態への切替えを指示する。この指示を受けて、電源ユニット１３は、第３状態に切替える。なお、電源ユニット１３において、第３状態は、第３メディアプレーヤー１０３に適した供給電力を出力可能としている。なお、切替え前の状態が第３状態であった場合にはそのままの状態を維持する。
【００７４】
また、動作制御部は、電源供給回路１４をＯＮさせる指示を出力する。この指示を受けて、電源供給回路１４は、電源ユニット１３から供給される第３状態に対応する電力を、第３メディアプレーヤー１０３にコネクター１０を介して供給する。
【００７５】
ステップＳ２０６の終了後はステップＳ２０７に移行する。ステップＳ２０７において動作制御部は、第３メディアプレーヤー１０３に対応させた音声レベルの調整値に設定させる指示を音声処理回路１６に出力する。音声処理回路１６は、動作制御部の指示を受け、第３メディアプレーヤー１０３から入力された音声データの音声入力レベルに対し、第３メディアプレーヤー１０３に対応して設定された所定の調整値となるように調整（増幅）を行い、調整された音声出力レベルで音声データを音声出力部１８に出力する。なお、この動作により、スピーカー１８１からは所定の音量で音声が出力される。
【００７６】
ステップＳ２０７の終了後はステップＳ２０８に移行する。ステップＳ２０８において動作制御部は、第３メディアプレーヤー１０３に対応させた映像レベルの調整値に設定させる指示を映像処理回路１７に出力する。映像処理回路１７は、動作制御部の指示を受け、第３メディアプレーヤー１０３から入力された映像データの映像入力レベルに対し、第３メディアプレーヤー１０３に対応する所定の映像出力レベルに調整を行い、調整された映像出力レベルで映像データを映像出力部１９に出力する。
【００７７】
詳細には、映像処理回路１７は、入力した映像データの映像入力レベルに対応して、第３メディアプレーヤー１０３に対応して設定された所定の調整値となるように、明るさ、コントラスト、シャープネス、色合い等の画質を調整する。なお、この動作により、投写レンズ１９３から調整された映像が投写される。なお、ステップＳ２０８が終了することにより、一連のフローが終了する。
【００７８】
なお、ステップＳ２０１で入力信号が検出されない場合には、ステップＳ２０２に移行する。ステップＳ２０２において動作制御部は、ステップＳ２０１と同様に、メディアプレーヤー１００の外形の違いを判別する形状判別部として動作する。詳細には、動作制御部は、第１センサー１１からの入力信号が検出されたか否かを判断する。具体的には、第１センサー１１が発光させた光を第１センサー１１が受光できたか否かを判断する。
【００７９】
ステップＳ２０２で入力信号が検出された場合には、ステップＳ２０４に移行し、動作制御部は、第２メディアプレーヤー１０２が接続されたと判断する。ステップＳ２０２で入力信号が検出されない場合には、ステップＳ２０５に移行する。なお、第１センサー１１は、前述したように、第２メディアプレーヤー１０２を検出するために設置されている。このように、動作制御部は、第１センサー１１の検出結果に基づいて、第２メディアプレーヤー１０２が接続されたか否かを判断する。
【００８０】
ステップＳ２０４で第２メディアプレーヤー１０２が接続されたと判断された場合、ステップＳ２０６に移行する。ステップＳ２０６では、電源部に対して第２メディアプレーヤー１０２に対応させた供給電源の調整値に設定させる動作を行う。詳細には、動作制御部は、電源ユニット１３に対し、第２状態への切替えを指示する。この指示を受けて、電源ユニット１３は、第２状態に切替える。なお、電源ユニット１３において、第２状態は、第２メディアプレーヤー１０２に適した供給電力を出力可能としている。なお、切替え前の状態が第２状態であった場合にはそのままの状態を維持する。
【００８１】
また、動作制御部は、電源供給回路１４をＯＮさせる指示を出力する。この指示を受けて、電源供給回路１４は、電源ユニット１３から供給される第２状態に対応する電力を、第２メディアプレーヤー１０２にコネクター１０を介して供給する。
【００８２】
ステップＳ２０６の終了後はステップＳ２０７に移行する。ステップＳ２０７において動作制御部は、第２メディアプレーヤー１０２に対応させた音声レベルの調整値に設定させる指示を音声処理回路１６に出力する。音声処理回路１６は、動作制御部の指示を受け、第２メディアプレーヤー１０２から入力された音声データの音声入力レベルに対し、第２メディアプレーヤー１０２に対応して設定された所定の調整値となるように調整（増幅）を行い、調整された音声出力レベルで音声データを音声出力部１８に出力する。なお、この動作により、スピーカー１８１からは所定の音量で音声が出力される。
【００８３】
ステップＳ２０７の終了後はステップＳ２０８に移行する。ステップＳ２０８において動作制御部は、第２メディアプレーヤー１０２に対応させた映像レベルの調整値に設定させる指示を映像処理回路１７に出力する。映像処理回路１７は、動作制御部の指示を受け、第２メディアプレーヤー１０２から入力された映像データの映像入力レベルに対し、第２メディアプレーヤー１０２に対応する所定の映像出力レベルに調整を行い、調整された映像出力レベルで映像データを映像出力部１９に出力する。
【００８４】
詳細には、映像処理回路１７は、入力した映像データの映像入力レベルに対応して、第２メディアプレーヤー１０２に対応して設定された所定の調整値となるように、明るさ、コントラスト、シャープネス、色合い等の画質を調整する。なお、この動作により、投写レンズ１９３から調整された映像が投写される。なお、ステップＳ２０８が終了することにより、一連のフローが終了する。
【００８５】
ステップＳ２０２で入力信号が検出されない場合には、ステップＳ２０５に移行し、動作制御部は、第１メディアプレーヤー１０１が接続されたと判断する。なお、本実施形態では、ステップＳ２０１およびステップＳ２０２において、第２センサー１２および第１センサー１１からの入力信号が検出されなかった場合、形状判別部として動作する動作制御部は、第１メディアプレーヤー１０１が接続されたと判断する。
【００８６】
ステップＳ２０５で第１メディアプレーヤー１０１が接続されたと判断された場合、ステップＳ２０６に移行する。ステップＳ２０６では、電源部に対して第１メディアプレーヤー１０１に対応させた供給電源の調整値に設定させる動作を行う。詳細には、動作制御部は、電源ユニット１３に対し、第１状態への切替えを指示する。この指示を受けて、電源ユニット１３は、第１状態に切替える。なお、電源ユニット１３において、第１状態は、第１メディアプレーヤー１０１に適した供給電力を出力可能としている。なお、切替え前の状態が第１状態であった場合にはそのままの状態を維持する。
【００８７】
また、動作制御部は、電源供給回路１４をＯＮさせる指示を出力する。この指示を受けて、電源供給回路１４は、電源ユニット１３から供給される第１状態に対応する電力を、第１メディアプレーヤー１０１にコネクター１０を介して供給する。
【００８８】
ステップＳ２０６の終了後はステップＳ２０７に移行する。ステップＳ２０７において動作制御部は、第１メディアプレーヤー１０１に対応させた音声レベルの調整値に設定させる指示を音声処理回路１６に出力する。音声処理回路１６は、動作制御部の指示を受け、第１メディアプレーヤー１０１から入力された音声データの音声入力レベルに対し、第１メディアプレーヤー１０１に対応して設定された所定の調整値となるように調整（増幅）を行い、調整された音声出力レベルで音声データを音声出力部１８に出力する。なお、この動作により、スピーカー１８１からは所定の音量で音声が出力される。
【００８９】
ステップＳ２０７の終了後はステップＳ２０８に移行する。ステップＳ２０８において動作制御部は、第１メディアプレーヤー１０１に対応させた映像レベルの調整値に設定させる指示を映像処理回路１７に出力する。映像処理回路１７は、動作制御部の指示を受け、第１メディアプレーヤー１０１から入力された映像データの映像入力レベルに対し、第１メディアプレーヤー１０１に対応する所定の映像出力レベルに調整を行い、調整された映像出力レベルで映像データを映像出力部１９に出力する。
【００９０】
詳細には、映像処理回路１７は、入力した映像データの映像入力レベルに対応して、第１メディアプレーヤー１０１に対応して設定された所定の調整値となるように、明るさ、コントラスト、シャープネス、色合い等の画質を調整する。なお、この動作により、投写レンズ１９３から調整された映像が投写される。なお、ステップＳ２０８が終了することにより、一連のフローが終了する。
【００９１】
以上のフローの中で、ステップＳ２００を実行することが、メディアプレーヤー１００がコネクター１０に接続されたことを検出する接続検出工程に対応する。また、ステップＳ２０１からステップＳ２０５を実行することが、第１センサー１１および第２センサー１２の検出結果に基づいて、メディアプレーヤー１００の外形の違いを判別する形状判別工程に対応する。
【００９２】
また、ステップＳ２０６を実行することが、接続されたメディアプレーヤー１００に対応させた電力を供給する電力供給工程に対応する。また、ステップＳ２０７を実行することが、接続されたメディアプレーヤー１００からの音声入力レベルに対応して所定の音声出力レベルとなるように調整する音声レベル調整工程に対応する。また、ステップＳ２０８を実行することが、接続されたメディアプレーヤー１００からの映像入力レベルに対応して所定の映像出力レベルとなるように調整する映像レベル調整工程に対応する。
【００９３】
なお、音声レベル調整工程（ステップＳ２０７）での音声レベルの調整値は、接続されたメディアプレーヤー１００からの音声入力レベルがそれぞれ異なっていても、スピーカー１８１から出力される音量が略一定となるように、接続されたメディアプレーヤー１００に対応させて設定されている。
【００９４】
また、映像レベル調整工程（ステップＳ２０８）での映像レベルの調整値は、接続されたメディアプレーヤー１００からの映像入力レベルがそれぞれ異なっていても、投写レンズ１９３から投写される映像の画質（明るさ、コントラスト、シャープネス、色合い等）が略一定となるように、接続されたメディアプレーヤー１００に対応させて設定されている。
【００９５】
上述した実施形態によれば、以下の効果が得られる。
本実施形態のプロジェクター１によれば、接続検出部で、メディアプレーヤー１００がコネクター１０に接続されたことを検出することにより、メディアプレーヤー１００が確実に接続されたことを判断することができる。また、形状判別部で、接続されたメディアプレーヤー１００の外形の違いを判別することにより、接続されたメディアプレーヤー１００を判別することができる。これにより、動作制御部は、接続されたメディアプレーヤー１００を特定することで、特定されたメディアプレーヤー１００に対応させた動作を行わせることができる。これにより、接続されたメディアプレーヤー１００ごとに対応する設計が行えるため、プロジェクター１の性能や品質の向上、また利便性の向上を図ることができる。
【００９６】
本実施形態のプロジェクター１によれば、動作制御部が、接続されたメディアプレーヤー１００に対応させた電力を供給する制御を行うことにより、従来のように、最大の供給電力が必要となるメディアプレーヤー１００に合わせて、他のメディアプレーヤー１００にも同様に供給することが必要なくなるため、消費電力の低減を図ることができる。これにより、消費電力の面でプロジェクター１の性能を向上させることができる。また、電源の発熱を抑制することができるため、冷却用のファン等を駆動する必要がなく、騒音を低減させることができ、プロジェクター１の品質を向上させることができる。
【００９７】
本実施形態のプロジェクター１によれば、動作制御部が、接続されたメディアプレーヤー１００からの音声入力レベルに対応して所定の音声出力レベルとなるように調整する制御を行うことにより、音声入力レベルが、メディアプレーヤー１００ごとに異なる場合にも、略一定の音声出力レベルとなるように調整することができる。これにより、プロジェクター１に備わるスピーカー１８１から出力される音量を、メディアプレーヤー１００が異なっても略一定とすることができる。これにより、接続されたメディアプレーヤー１００が異なっても、メディアプレーヤー１００ごとに音量調整を行うことを低減させることができ、プロジェクター１の性能や利便性を向上させることができる。
【００９８】
本実施形態のプロジェクター１によれば、動作制御部が、接続されたメディアプレーヤー１００からの映像入力レベルに対応して所定の映像出力レベルとなるように調整する制御を行うことにより、映像入力レベルが、メディアプレーヤー１００ごとに異なる場合にも、略一定の映像出力レベルとなるように調整することができる。これにより、プロジェクター１に備わる投写レンズ１９３から投写された映像を、メディアプレーヤー１００が異なっても略一定の画質（明るさ、コントラスト、シャープネス、色合い等）とすることができる。これにより、接続されたメディアプレーヤー１００が異なっても、メディアプレーヤー１００ごとに映像調整を行うことを低減させることができ、プロジェクター１の性能や利便性を向上させることができる。
【００９９】
本実施形態のプロジェクター１によれば、センサー部が、メディアプレーヤー１００の外形の違いに対応させて２つ（第１センサー１１、第２センサー１２）設置されることにより、３種類の外形違いのメディアプレーヤー１００を判別することができる。これにより、プロジェクター１の利便性が向上する。
【０１００】
本実施形態のプロジェクター１によれば、第１センサー１１、第２センサー１２は光センサー（受発光素子）を備えることにより、センサー部を容易に構成することができ、接続されたメディアプレーヤー１００の外形を容易に検出することができる。
【０１０１】
本実施形態のプロジェクター１の駆動方法によれば、接続検出工程で、メディアプレーヤー１００がコネクター１０に接続されたことを検出することにより、メディアプレーヤー１００が確実に接続されたことを判断することができる。また、形状判別工程で、センサー部（第１センサー１１、第２センサー１２）の検出結果に基づいて、接続されたメディアプレーヤー１００の外形の違いを判別することにより、接続されたメディアプレーヤー１００を判別することができる。これにより、動作制御部は、接続されたメディアプレーヤー１００を特定することができ、特定されたメディアプレーヤー１００に対応させた動作を行わせることができる。これにより、プロジェクター１の性能や品質の向上、また利便性の向上を図ることができる。
【０１０２】
本実施形態のプロジェクター１の駆動方法によれば、電力供給工程を備え、接続されたメディアプレーヤー１００に対応させた電力を供給することにより、消費電力の低減を図ることができる。
【０１０３】
本実施形態のプロジェクター１の駆動方法によれば、音声レベル調整工程を備え、接続されたメディアプレーヤー１００からの音声入力レベルに対応して所定の音声出力レベルとなるように調整することにより、音声入力レベルが、メディアプレーヤー１００ごとに異なる場合にも、略一定の音声出力レベルとなるように調整することができる。これにより、プロジェクター１に備わるスピーカー１８１から出力される音量を、メディアプレーヤー１００が異なっても略一定とすることができる。
【０１０４】
本実施形態のプロジェクター１の駆動方法によれば、映像レベル調整工程を備え、接続されたメディアプレーヤー１００からの映像入力レベルに対応して所定の映像出力レベルとなるように調整することにより、映像入力レベルが、メディアプレーヤー１００ごとに異なる場合にも、略一定の映像出力レベルとなるように調整することができる。これにより、プロジェクター１に備わる投写レンズ１９３から投写された映像を、メディアプレーヤー１００が異なっても略一定の画質とすることができる。
【０１０５】
なお、上述した実施形態に限定されず、その要旨を逸脱しない範囲において種々の変更や改良等を加えて実施することが可能である。変形例を以下に述べる。
【０１０６】
前記実施形態のプロジェクター１において、３つのメディアプレーヤー１００（第１メディアプレーヤー１０１、第２メディアプレーヤー１０２、第３メディアプレーヤー１０３）を判別するために、２つのセンサー（第１センサー１１、第２センサー１２）が設置されている。しかし、コネクター１０に接続するメディアプレーヤー１００が２つの場合には、１つのセンサーで対応することができる。また、４つ以上のメディアプレーヤー１００を判別する場合には、３つ以上のセンサーを設置することでよい。
【０１０７】
前記実施形態のプロジェクター１において、映像出力部１９として投写レンズ１９３を介して映像を投写させている。しかし、これに限られず、映像出力部１９として液晶パネルを用い、液晶パネルに映像を出力（表示）させてもよい。
【０１０８】
前記実施形態のプロジェクター１において、第１センサー１１および第２センサー１２は、光センサーとして、受発光素子を用いている。しかし、他の光センサーを用いてもよい。
【０１０９】
前記実施形態では、本発明における一実施形態を、電子機器としてのプロジェクター１に適用している。しかし、プロジェクター１には限られず、他の様々な電子機器に適用することができる。また、同様に、本発明における一実施形態を、プロジェクター１の駆動方法に適用している。しかし、プロジェクター１には限られず、他の様々な電子機器の駆動方法に適用することができる。
【０１１０】
前記実施形態において、音声レベル調整工程では、音声入力レベルに対して、スピーカー１８１から出力される音量が略一定となる音声出力レベルに調整しているが、音質に対しても調整し、音質が略一定となる音声出力レベルに調整することでもよい。
【０１１１】
前記実施形態の映像出力部１９において、光変調装置として液晶ライトバルブ１９２を採用している。しかし、これに限られず、一般に、入射光束を映像信号に基づいて変調するものであればよく、例えば、マイクロミラー型の光変調装置等、他の方式の光変調装置を採用することができる。なお、マイクロミラー型の光変調装置としては、例えば、ＤＭＤ（Digital Micromirror Device）を採用することができる。
【符号の説明】
【０１１２】
１…プロジェクター、１０…コネクター、１１…第１センサー、１２…第２センサー、１３…電源ユニット、１４…電源供給回路、１５…マイコン、１６…音声処理回路、１７…映像処理回路、１８…音声出力部、１９…映像出力部、１００…メディアプレーヤー、１０１…第１メディアプレーヤー、１０２…第２メディアプレーヤー、１０３…第３メディアプレーヤー、１８１…スピーカー、１９１…光源装置、１９２…液晶ライトバルブ、１９３…投写レンズ。
【図１】
2014027507.tif 000003
【図２】
2014027507.tif 000004
【図３】
2014027507.tif 000005
【図４】
2014027507.tif 000006